(57)【要約】【課題】  バズベイト において特にその動きに特色を持たせた耐久性の高い釣用ルアー を提供する。【解決手段】  屈曲形成されたワイヤ１１の一端側のアッパアーム１１Ａにバズブレード１２を有し、他端側のロアアーム１１Ｂにはフック１５を有する。バズブレード１２はアッパアーム１１Ａ及び支持シャフト１９のまわりに回転自在に支持される。アッパアーム１１Ａ及び支持シャフト１９はバズブレードの前後２点の支持間でジョイント１８を介して連結する。【選択図】図１
0003137765.tif 000002
【実用新案登録請求の範囲】
【請求項１】
屈曲形成されたワイヤの一端側のアッパーアームに前後２点で支持されたプロペラ型可動ブレードを有し、他端側のロアアームには偽装体が付帯するフックを有する釣り用ルアーであって、前記可動ブレードの前後２点の支持間にジョイントを有することを特徴とする釣用ルアー。
【請求項２】
前記可動ブレードの可動範囲が広狭設定可能であることを特徴とする請求項１に記載の釣用ルアー。
【考案の詳細な説明】
【技術分野】
【０００１】
本考案は、所謂バズベイトと称するコンビネーションルアーとして用いられる釣用ルアーに関するものである。
【背景技術】
【０００２】
釣用ルアーのうち従来からあった「バズベイト」と呼ばれるものは、バズブレードと称する回転体（プロペラ）が回転自在に挿着支持される構成となっている。このバズベイトルアーは基本的に、ラインを引く際にルアーが沈まないように使用する。このときバズブレードが水しぶきを上げながら回転することで、その振動（音）や光が釣果に結びつくようにするというものである。
【０００３】
図４は、バズベイトルアーの構成例を示している。このバズベイトは、屈曲形成されたワイヤ１の一端側にバズブレード２を回転自在に支持すると共に、他端側にはスカート４を装着するためのヘッド部３が結合し、このヘッド部３にフック（釣針）５が連結される。なお、バズブレード２の前後にはビーズ６，６が介装される。ワイヤ１の適所にはライン（釣糸）７が接続され、ライン７を引くことでバズブレード２が水面付近で回転するようになっている。  
【０００４】
図５は、フレキシブルなジョイント２０を介して、アッパーアーム端部にバズブレードが連結したものである。
【特許文献１】実登3109963
【考案の開示】
【考案が解決しようとする課題】
【０００５】
しかしながら以上の技術によれば、バズブレード２はワイヤ１の一端側で回転自在に支持されるものの、その動きは回転運動だけである。一様かつ単純な動きのため、必ずしも高い釣果を期待することができなかった。  また、フレキシブルなジョイントを介して、アッパーアームの端部にバズブレードを連結した場合、トリッキーな動きが可能になるが、バズブレードの精密な広狭設定が難しく、また長時間の使用においてはジョイント部の疲労により可動範囲が変化するなど耐久性に問題が残る。
【０００６】
本考案はかかる実情に鑑み、この種のバズベイトにおいて特にその動きに特色を持たせた耐久性の高い釣用ルアーを提供することを目的とする。
【課題を解決するための手段】
【０００７】
本考案の釣用ルアーは、屈曲形成されたワイヤの一端側のアッパーアームに前後２点で支持されたプロペラ型可動ブレードを有し、他端側のロアアームには偽装体が付帯するフックを有する釣用ルアーであって、前記可動ブレードの前後２点の支持間にジョイントを有することを特徴とする。
【０００８】
本考案の釣用ルアーにおいて、前記可動ブレードの可動範囲が広狭設定可能であることを特徴とする。
【考案の効果】
【０００９】
本考案によれば、ラインを引いてルアーを遊泳させると、可動ブレードは水流抵抗を受けて回転する。可動ブレードの前後２点の支持の間にジョイントを有することで、可動ブレードの動きの自由度が大幅に拡大する。このように可動ブレードを動き易くすることで、トリッキーな動きも可能になり、高い釣果を期待することができる。
【００１０】
可動ブレードの前後２点の支持の間にジョイントを有することで、可動ブレードの精密な広狭設定が可能になる。また、耐久性が高く長時間の使用においても可動ブレードの可動範囲を一定に保つことができる。
【考案を実施するための最良の形態】
【００１１】
以下、図面に基づき、本考案による釣用ルアーの好適な実施の形態を説明する。
図１は、本考案の一実施形態による釣用ルアーの構成例を示している。バズベイトは、ステンレス鋼線等を屈曲形成してなるワイヤ１１の一端側に、アルミニウムもしくはその合金等で形成されたバズブレード１２を回転自在に支持すると共に、他端側には偽装体であるスカート１４を装着するためのヘッド部１３が結合する。ヘッド部１３にフック（釣針）１５が連結される。ワイヤ１１の適所（アイ１１ａ）にはライン１７が接続され、ライン１７を引くことでバズブレード２が水面付近で回転するようになっている。
【００１２】
プロペラ型のバズブレード１２は前後２点の支持の間にジョイントを有する。
【００１３】
バズブレード１２は、アッパーアーム１１Ａ及び支持シャフト１９のまわりに回転自在に支持され、前後２点の支持間でジョイント１８が構成される。たとえば図２に示すようにアッパーアーム１１Ａの先端及び支持シャフト１９の先端をそれぞれ概略環状に成形して係合部１８ａおよび１８ｂを設け、両者が相互に連結される。このようにジョイント１８を構成することにより、バズブレード後部支持部１２Ｂはアッパアーム１１Ａに対して、上下（矢印Ｕ，Ｄ）および左右（矢印Ｌ，Ｒ）方向に自在に可動になる。
【００１４】
上記構成において、ライン１７を引いてルアーを遊泳させると、バズブレード１２が水面付近で回転する。この場合、バズブレード１２は前後２点の支持関にジョイント１８を有することで可動自在となる。可動自在のバズブレードにより、大きな動きや不規則な動きが出て、そのときに発生する気泡や音、振動、反射光あるいは水面の波紋により高い集魚効果が得られる。なお、バズブレード１２がロアアーム１１Ｂに接触することで、音や振動が発生する。
【００１５】
また、バズブレード１２の動きがアッパアーム１１Ａからロアアーム１１Ｂに、そしてヘッド部１３に伝わり、その結果ヘッド部１３およびスカート１４の動き方も大きくなる。これによっても高い集魚効果が得られる。また、イレギュラーでトリッキーな動きも可能になり、この点でも集魚効果につながる。
【００１６】
ここで、２点の支持間にジョイント１８を有するバズブレード１２の可動範囲は、広狭設定可能にすることができる。たとえば図３（ａ）に示すように支持シャフト１９を短くすることで可動範囲は狭まり、図３（ｂ）に示すように支持シャフト１９を延長することで可動範囲は広域となる。
【００１７】
なお、本考案は、上述した実施形態にのみ限定されるものではない。たとえば、ルアーに取り付ける部品およびその数量、その配列の仕方、可動部の配設位置、さらに形状あるいは素材等につき、その種々の組合せバリエーションは必要に応じて適宜変更、設定可能であり、上記実施形態と同様な作用効果を得ることができる。
【図面の簡単な説明】
【００１８】
【図１】本考案の一実施形態における釣用ルアーの構成例を示す図である。
【図２】本考案に係るジョイントの構成例を示す図である。
【図３】本考案に係るジョイントの構成例をそれぞれ示す図である。
【図４】従来ルアーの構成例を示す図である。
【図５】従来ルアーの構成例を示す図である。
【符号の説明】
【００１９】
１      ワイヤ
１Ａ    アッパーアーム
１Ｂ    ロアアーム
２      バズブレード
３      ヘッド部
４      スカート
５      フック（釣針）
６      ビーズ
７      ライン
１１    ワイヤ
１１ａ  アイ
１１Ａ  アッパーアーム
１１Ｂ  ロアアーム
１２    バズブレード
１２Ａ  バズブレード前部支持部
１２Ｂ  バズブレード後部支持部
１３    ヘッド部
１４    スカート
１５    フック（釣針）
１６    ビーズ
１７    ライン
１８    ジョイント
１８ａ  係合部
１８ｂ  係合部
１９    支持シャフト
２０    ジョイント
【図１】
0003137765.tif 000003
【図２】
0003137765.tif 000004
【図３】
0003137765.tif 000005
【図４】
0003137765.tif 000006
【図５】
0003137765.tif 000007